(57)【要約】【課題】レイアウトに制約が課されることなく、通話状態における操作手段を介した操作を確実に無効化する。【解決手段】通話状態にて人体に対向する面に設けられた光センサ３０にて検出された明るさが予め決められた明るさよりも暗く、かつ、加速度センサ４０にて検出された加速度が通話中に予め検出されたパラメータ値と一致した場合、通話中に不要なキー部２０ｂを介した操作を無効化する。【選択図】図１
2012109710.tif 000002
【特許請求の範囲】
【請求項１】
通話機能を有するとともに、外部から操作可能な操作手段に対する操作に応じた動作を行う携帯端末において、
通話状態にて人体に対向する面に設けられ、明るさを検出する光センサと、
前記携帯端末にかかる加速度を検出する加速度センサと、
前記光センサにて検出された明るさが予め決められた明るさよりも暗く、かつ、前記加速度センサにて検出された加速度が通話中に予め検出されたパラメータ値と一致した場合、前記操作手段を介した操作を無効化する制御手段とを有することを特徴とする携帯端末。
【請求項２】
請求項１に記載の携帯端末において、
前記操作手段は、通話中に必要な第１の操作手段と、通話中に不要な第２の操作手段とからなり、
前記制御手段は、前記光センサにて検出された明るさが予め決められた明るさよりも暗く、かつ、前記加速度センサにて検出された加速度が通話中に予め検出されたパラメータ値と一致した場合、前記第２の操作手段を介した操作のみを無効化する携帯端末。
【請求項３】
請求項１または請求項２に記載の携帯端末において、
前記通話中に予め検出されたパラメータ値を記憶する記憶手段を有し、
前記制御手段は、前記加速度センサにて検出された加速度と前記記憶手段に記憶されたパラメータ値とを比較することにより、前記加速度センサにて検出された加速度が前記パラメータ値と一致しているかどうかを判断する携帯端末。
【発明の詳細な説明】
【技術分野】
【０００１】
本発明は、通話機能を有する携帯端末に関し、特に、通話中におけるキーやタッチパネルによる誤入力を防止する技術に関する。
【背景技術】
【０００２】
現在、携帯電話機は、情報交換や情報収集の面から、生活にはなくてはならないツールとなりつつある。このような携帯電話機は、世の中に登場した当時は、通話機能しか有していないものがほとんどであったが、近年では、一般のパーソナルコンピュータと同様に、電子メールを送信したり、インターネットに接続したりすることができるようになっており、タッチパネルやキーを押下することにより、それに応じた様々な動作が行われることになる。
【０００３】
ところが、このように通話以外の機能を有する携帯端末においては、通話中にユーザが意図せずにタッチパネルやキーを押下してしまう虞れがあり、その場合、誤入力が行われてしまうことになる。
【０００４】
そこで、通話中においてユーザが意図せずにタッチパネルやキーを押下した場合に誤入力が行われてしまうことを防止する技術が考えられている。
【０００５】
例えば、多機能を有する携帯端末においては、通話中に通話以外の機能を使用する場合、携帯端末を耳から離してタッチパネルを用いた入力操作が行なわれることになるため、この仕草を利用し、頭部の一部が携帯端末に接触または近づいたことをカメラにより検出し、接触または近づいたと判断された場合には、タッチパネルからの入力を無効化する技術が考えられている。
【０００６】
また、スピーカを可動式とし、スピーカが移動した場合にスピーカに耳が押し当てられて通話状態となっていると判断し、タッチスクリーンからの入力を無効化する技術が特許文献１に開示されている。
【先行技術文献】
【特許文献】
【０００７】
【特許文献１】特開２０００−１３４７８号公報
【発明の概要】
【発明が解決しようとする課題】
【０００８】
しかしながら、上述したように、顔の一部が携帯端末に接触または近づいたことをカメラにより検出し、接触または近づいたと判断された場合にタッチパネルからの入力を無効化するものにおいては、カメラの配置が重要となってくるため、携帯端末におけるレイアウトに制約が課されてしまうという問題点がある。
【０００９】
また、スピーカを可動式とし、スピーカが移動した場合にスピーカに耳が押し当てられて通話状態となっていると判断し、タッチスクリーンからの入力を無効化するものにおいては、スピーカが耳以外の物体に押し当てられて移動した場合においても入力が無効化されてしまうため、通話状態を確実に検出しているとは言い難い。
【００１０】
本発明は、上述したような技術が有する問題点に鑑みてなされたものであって、レイアウトに制約が課されることなく、通話状態における操作手段を介した操作を確実に無効化することができる携帯端末を提供することを目的とする。
【課題を解決するための手段】
【００１１】
上記目的を達成するために本発明は、
通話機能を有するとともに、外部から操作可能な操作手段に対する操作に応じた動作を行う携帯端末において、
通話状態にて人体に対向する面に設けられ、明るさを検出する光センサと、
前記携帯端末にかかる加速度を検出する加速度センサと、
前記光センサにて検出された明るさが予め決められた明るさよりも暗く、かつ、前記加速度センサにて検出された加速度が通話中に予め検出されたパラメータ値と一致した場合、前記操作手段を介した操作を無効化する制御手段とを有することを特徴とする。
【発明の効果】
【００１２】
以上説明したように本発明においては、通話状態にて人体に対向する面に設けられた光センサにて検出された明るさが予め決められた明るさよりも暗く、かつ、加速度センサにて検出された加速度が通話中に予め検出されたパラメータ値と一致した場合、操作手段を介した操作を無効化する構成としたため、レイアウトに制約が課されることなく、通話状態における操作手段を介した操作を確実に無効化することができる。
【図面の簡単な説明】
【００１３】
【図１】本発明の携帯端末の実施の一形態を示す図であり、（ａ）は通話状態にて人体に対向する面の構成を示す図、（ｂ）はそれとは反対側の面の構成を示す図、（ｃ）は側面側から見た構成を示す図である。
【図２】図１に示した携帯電話機の構成ブロック図である。
【図３】図１及び図２に示した携帯電話機における通話時の動作を説明するためのフローチャートである。
【発明を実施するための形態】
【００１４】
以下に、本発明の実施の形態について図面を参照して説明する。
【００１５】
図１は、本発明の携帯端末の実施の一形態を示す図であり、（ａ）は通話状態にて人体に対向する面の構成を示す図、（ｂ）はそれとは反対側の面の構成を示す図、（ｃ）は側面側から見た構成を示す図である。また、図２は、図１に示した携帯電話機１の構成ブロック図である。
【００１６】
本形態は図１及び図２に示すように、通話状態にて人体に対向する面に、表示部１０、操作手段であるキー部２０ａ，２０ｂ、光センサ３０、マイク５０及びスピーカ６０が設けられるとともに、通信を行うための通信部７０及びその一部を構成するアンテナ７１が設けられ、さらに、加速度センサ４０、制御部８０及び記憶手段となるメモリ９０が内蔵されて構成された折り畳み式の携帯電話機１である。
【００１７】
表示部１０は、液晶等のディスプレイからなり、情報を表示するものである。
【００１８】
キー部２０ａ，２０ｂは、携帯電話機１を動作させるための情報を入力するためのものであって、第１の操作手段となるキー部２０ａが通話中に必要なものであり、また、第２の操作手段となるキー部２０ｂが通話中に不要なものである。
【００１９】
マイク５０は音声を入力するためのものであり、スピーカ６０は音声を出力するためのものである。
【００２０】
光センサ３０は、明るさを検出するためのものであって、スピーカ６０の近傍に設けられることにより、通話状態にて人体の頭部に対向する。
【００２１】
通信部７０は、通話や通信を行うためのものであり、アンテナ７１を含む。
【００２２】
加速度センサ４０は、携帯電話機１にかかる加速度を検出するためのものである。
【００２３】
制御部８０は、携帯電話機１の動作を制御し、加速度センサ４０にて検出された加速度とメモリ９０に記憶されたパラメータ値とを比較することにより、加速度センサ４０にて検出された加速度が通話中に予め検出されたパラメータ値と一致しているかどうかを判断し、光センサ３０にて検出された明るさが予め決められた明るさよりも暗く、かつ、加速度センサ４０にて検出された加速度が通話中に予め検出されたパラメータ値と一致した場合、キー部２０ｂを介した操作を無効化するものである。
【００２４】
以下に、上記のように構成された携帯電話機１における通話時の動作について説明する。
【００２５】
図３は、図１及び図２に示した携帯電話機１における通話時の動作を説明するためのフローチャートである。
【００２６】
携帯電話機１にて通話が開始されると（ステップ１）、光センサ３０と加速度センサ４０が稼動する（ステップ２）。光センサ３０と加速度センサ４０が稼動すると、光センサ３０においては明るさが検出され、また、加速度センサ４０においては、携帯電話機１にかかる加速度が検出される。
【００２７】
そして、通話が継続している状態において（ステップ３）、まず、光センサ３０にて検出された明るさが予め決められた明るさよりも暗いかどうかが制御部８０にて判断される（ステップ４）。通話状態においては、スピーカ６０が耳元に配置されるように携帯電話機１が所持されるため、光センサ３０には人体の頭部が近づき、それにより、検出される明るさが暗くなる。メモリ９０には、光センサ３０に人体の頭部が近づいたと判断するための明るさのしきい値が記憶されており、制御部８０においては、光センサ３０にて検出された明るさがメモリ９０に記憶されたしきい値よりも暗いかどうかによって、光センサ３０にて検出された明るさが予め決められた明るさよりも暗いかどうかが判断されることになる。
【００２８】
光センサ３０にて検出された明るさが予め決められた明るさよりも暗いと判断された場合は、次に、加速度センサ４０にて検出された加速度が通話中に予め検出されたパラメータ値と一致するかどうかが制御部８０にて判断される（ステップ５）。通話状態においては、通話者の癖等に応じた加速度が携帯電話機１にかかる。そこで、通話中に携帯電話機１にかかる加速度を予め加速度センサ４０にて検出し、検出された加速度をパラメータ値としてメモリ９０に記憶しておく。これにより、制御部８０において、加速度センサ４０にて検出された加速度とメモリ９０に記憶されたパラメータ値とを比較することにより、加速度センサ４０にて検出された加速度が通話中に予め検出されたパラメータ値と一致するかどうかを判断することができる。
【００２９】
制御部８０においては、光センサ３０にて検出された明るさが予め決められた明るさよりも暗く、かつ、加速度センサ４０にて検出された加速度が通話中に予め検出されたパラメータ値と一致した場合、通話中と判断され、キー部２０ａ，２０ｂのうち、通話中に不要なキー部２０ｂを介した操作が無効化され、キー部２０ｂからの入力受付が停止する（ステップ６）。
【００３０】
その後、光センサ３０にて検出された明るさが予め決められた明るさ以上となったり、加速度センサ４０にて検出された加速度が通話中に予め検出されたパラメータ値と一致しなくなったりした場合、キー部２０ｂからの入力受付が再開する（ステップ７）。
【００３１】
また、通話が終了すると、通話前の状態に戻る（ステップ８）。
【００３２】
このように本形態においては、通話状態にて人体に対向する面に設けられた光センサ３０にて検出された明るさが予め決められた明るさよりも暗く、かつ、加速度センサ４０にて検出された加速度が通話中に予め検出されたパラメータ値と一致した場合、通話中に不要なキー部２０ｂを介した操作を無効化する構成としたため、レイアウトに制約が課されることなく、通話状態における操作手段を介した操作を確実に無効化してキー誤入力を防止することができる。
【００３３】
なお、本形態においては携帯端末として携帯電話機１を例に挙げて説明したが、本発明はこれに限らず、通話機能を有するとともに、外部から操作可能なキー等の操作手段に対する操作に応じた動作を行うものであれば適用することができる。
【符号の説明】
【００３４】
１    携帯電話機
１０    表示部
２０ａ，２０ｂ    キー部
３０    光センサ
４０    加速度センサ
５０    マイク
６０    スピーカ
７０    通信部
７１    アンテナ
８０    制御部
９０    メモリ
【図１】
2012109710.tif 000003
【図２】
2012109710.tif 000004
【図３】
2012109710.tif 000005